(57)【特許請求の範囲】
【請求項１】
筐体が分電盤に配設される分岐開閉器と外形形状を略同一形状に形成され，
該筐体内方において，
該分岐開閉器と差替装着可能に導電バーから電力を得る電源接続部と，
電源接続部他端に設けられた電源出力端子部と，
前記電源接続部と電源出力端子部の間に介在し，
分岐開閉器のハンドル操作部と同様に外部から操作可能に設けられて電源側と負荷側の電路を入切するスイッチと，
前記導電バーから得た電力の交流−直流変換処理を行うコンバータ，及び
負荷回路の動作電圧に合わせた直流−直流変換処理を行う昇圧コンバータを備えた制御回路部と，を備え，
前記分岐開閉器と差し替えることにより，
負荷回路に応じて，該負荷回路に直流電源を供給することを前記分岐開閉器と前記筐体とを併設させて行うことを特徴とする分電盤に設けられる電源手段。
【請求項２】
前記交流−直流変換処理を行うコンバータにより交流−直流変換処理された電力を蓄電するとともに，
蓄電した電力を，前記昇圧コンバータに供給する２次電池を用いた蓄電部を備えたことを特徴とする分電盤に設けられる請求項１記載の電源手段。
【発明の詳細な説明】
【技術分野】
【０００１】
本発明は，電路に介在して使用され，負荷回路に給電する電源手段を備えた分電盤に関し，特に，分岐開閉器と外形形状が略同一であり，該分岐開閉器と取付可能に形成されて，内部にて交流電源を直流電源に変換し，負荷側端子から負荷回路に直流電源を給電する電源手段を備えた分電盤に関するものである。
【背景技術】
【０００２】
従来，特許文献１に示したように，主幹ブレーカや複数の分岐ブレーカ等を収納した分電盤内に、分岐ブレーカと略同一形状のケースによって分岐ブレーカ取付部に設置され、主幹ブレーカ等が動作して停電した際にケース内に内蔵した電池を電源にして前記ケースに設けたランプを点灯させて周囲を照らし、主幹ブレーカ等の復帰操作を行いやすくするための停電用保安灯を備えたものがあった。
【０００３】
これは，図１５に示しているように，分電盤４の前面カバー８には主幹ブレーカ２や分岐ブレーカ３の操作ハンドル９，１０を露出させて操作できるように複数の操作窓１１，１２が形成され、この分岐ブレーカ用の操作窓１２に臨む停電用保安灯１のケース５の上面に開口１３が設けられ、開口内に電池１４の収納部１５が設けられているものである。また，開口１３には蓋体１６が開閉自在に設けられる。特許文献１の図３に示されたように，蓋体１６は表面にランプ１７とツマミ１８とテストボタン１９が設けられ、裏面に矩形状の基板２０が固着され、基板２０上にコイン型リチウム電池１４が装着された電池ホルダー２１が電子回路と共に実装されている。
【先行技術文献】
【特許文献】
【０００４】
【特許文献１】特開２００３−３４８７１７号公報（第１０項，第２図，第３図）
【発明の概要】
【発明が解決しようとする課題】
【０００５】
しかしながら，特許文献１に示されたような従来の停電用保安灯においては，ランプと電池を同一のケースに設け，ランプが分岐ブレーカの幅内に設けられるようにしたために光源が小さくなり，また，ランプの電源をコイン型リチウム電池を用いているためにその電源容量故に光量が小さくなり，その結果，光の届く範囲はランプの近傍に限られる。そのため，例えば，夜間に主幹ブレーカ（主開閉器）が動作し停電した場合など，周囲が真暗になる場合には，分電盤が設置してある場所にたどり着くことが困難であるという問題があった。
【０００６】
また，分電盤近くにおいては，真暗な状態において保安灯のランプ部からスポット的に光が照射されるため，分電盤を臨む際に眩く，逆光効果となり，眩くないように手などで光を遮りながらブレーカの復帰作業を行う必要があるなど，復帰作業が行いにくくなるという問題があった。
【０００７】
そこで本件の発明の目的とするところは，通常の交流電力を負荷側回路に供給する分岐開閉器と同様に，該分岐開閉器と外形互換に形成されるとともに外部から電路の入切操作が行え，負荷側端子から，分岐開閉器から離れた場所にある負荷機器に対して直流電源の給電を行う電源手段，並びに負荷回路に応じて交流電源若しくは直流電源を供給することが可能な分電盤を提供することである。
【課題を解決するための手段】
【０００８】
上述の目的を達成するために，請求項１の発明では，筐体が分電盤に配設される分岐開閉器と外形形状を略同一形状に形成され，該筐体内包において，該分岐開閉器と差替装着可能に導電バーから電力を得る電源接続部と，電源接続部他端に設けられた電源出力端子部と，前記電源接続部と電源出力端子部の間に介在し，分岐開閉器のハンドル操作部と同様に外部から操作可能に設けられて電源側と負荷側の電路を入切するスイッチと，前記導電バーから得た電力の交流−直流変換処理を行うコンバータ，及び負荷回路の動作電圧に合わせた直流−直流変換処理を行う電圧を昇圧させる昇圧コンバータを備えた制御回路部と，を備え，前記分岐開閉器と差し替えることにより，負荷回路に応じて，該負荷回路に直流電源を供給することを前記分岐開閉器と前記筐体とを併設させて行うことを特徴として分電盤に設けられる電源手段を提供したものである。
【０００９】
また，請求項２の発明では，前記交流−直流変換処理を行うコンバータにより交流−直流変換処理された電力を蓄電するとともに，蓄電した電力を，前記昇圧コンバータに供給する２次電池を用いた蓄電部を備えたことを特徴とする分電盤に設けられることを特徴として電源手段を提供したものである。
【発明の効果】
【００１０】
上記課題解決手段によれば，負荷回路に設けられる交流電力を使用する負荷，並びに直流電力を使用する負荷に応じて，通常の交流電力を供給する分岐開閉器と，該分岐開閉器と外形互換に形成されて外部から電路の入切操作が行える前記直流電力を供給する電源手段を差し替えることにより負荷回路の動作電圧に合わせた電源手段を配設できるため，製作コストの低減，容易に電源手段を分電盤に配設でき，分岐開閉器から離れた場所にある負荷機器に対して直流電力を供給することができる
電源手段の提供を行うことができるという効果がある。
【図面の簡単な説明】
【００１１】
【図１】第一の実施例を示す分電盤の扉を閉めた状態の概観図である。
【図２】第一の実施例を示す分電盤の扉を開けた状態の概観図である。
【図３】第一の実施例を示す分電盤の分解斜視図である。
【図４】内器ユニットに設けられた電源手段の説明図である。
【図５】電源手段の脱着を示す説明図である。
【図６】電源手段の概略内部構造図である。
【図７】扉の断面図を示した図である。
【図８】第二の実施例を示す分電盤の概観図である。
【図９】第二の実施例を示す分電盤の分解斜視図である。
【図１０】カバーの断面図を示した図である。
【図１１】扉付きの場合の電源手段からの電気的接続を示す図である。
【図１２】電気的接続を示すの拡大図である。
【図１３】扉なしの場合の電気的接続を示す拡大図である。
【図１４】枢着部の拡大図である。
【図１５】従来例を示す図である。
【発明を実施するための最良の形態】
【００１２】
以下，本発明の実施の形態について，図面を用いて詳細に説明する。
【００１３】
まず，第一の実施例について説明を行う。本実施例は扉付きの分電盤における実施例である。
図１，図２は第一の実施例を示した概観図を示し，それぞれ扉を閉じた状態，扉を開けた状態を示している。本分電盤は住宅の壁面等に配設する住宅用分電盤として使用されるもので，壁面に取り付けられるボックス１００と，該ボックス１００に取り付けられるカバー１０１と，該カバー１０１の前面を覆う扉１０２とで構成され，図３に示したように，ボックス１００内には，内器ユニット１０４が配設され，ボックス１００に導入される電線が内器ユニット１０４に電気的に接続される。
【００１４】
内器ユニット１０４は，単相三線用の主開閉器１０４１と，複数の分岐開閉器１０４２と，電源手段１０５を備え，分岐開閉器１０４２は，主開閉器１０４１の電源負荷側方向に２列に電源側の併設部と負荷側の併設部とに分けて併設配置されている。また，各々の併設部においては，分岐開閉器は並設されている。主開閉器１０４１と，分岐開閉器１０４２及び電源手段１０５とは，Ｌ１相，Ｌ２相の電圧極側の導電バーと，中性極側導電バーとによって電気的に接続される。尚，導電バーとは，住宅盤内で２つ以上の分岐開閉器に電力を供給する母線，または母線と分岐開閉器との間を接続する電気導体を意味している。
【００１５】
内器ユニット１０４が配設されるボックス１００は，カバー１０１と嵌め合わせにより取り付けられる。そのため，ボックス１００にはボックスの箱体から突出した嵌合部１０４ｂが形成され，また，カバー１０１には前記嵌合部１０４ｂと嵌め合い可能な嵌合部１０４ａが形成されている。
【００１６】
カバー１０１には，主開閉器１０４１と複数の分岐開閉器１０４２の操作ハンドルをカバー前面から操作できるよう，操作ハンドルを逃げるように孔１０１１が設けられている。
【００１７】
また，カバー１０１には，枢着部１０３を介して扉１０２が開閉自在に枢着されている。枢着部１０３を図１４に示した。枢着部１０３は，カバー１０１側に設けられた枢着部ａ１０３ａと扉１０３側に設けられた枢着部ｂ１０３ｂとから成り，枢着部ｂ１０３ｂには，扉１０３を開状態に保持するよう弾性部材からなる弾性保持部１０３ｃが設けられており，枢着部ａ１０３ａと枢着部ｂ１０３ｂは軸１０３ｄにより，カバーに対して扉を回動操作できるようお互いが軸支されている。
【００１８】
扉１０２には，照明手段２００が設けられている。照明手段２００は，その発光部分がＥＬ（エレクトロルミネセンス：Electroluminescent）ライトにより構成されている。照明手段２００は，扉１０２の前面に，該扉１０２の面形状に沿って配設されてあり，図７（ａ）に示したように扉のＡＡ断面のように滑らかな円弧を描くように配設されている。ＥＬライトはその特性上，柔軟性，低発熱性，省電力に優れており，形状の加工も自在であり，面発光で照射する。そのため，扉１０２のサイズに応じた加工が可能であり，また，扉１０２の曲率に応じて配設が可能である。扉１０２の面形状に沿って配設されているため，分電盤が設置された場所において，足元付近から天井付近まで広範囲に渡って明るく照射することが可能である。
【００１９】
扉１０２への配設は図７（ａ）に示したように，扉１０２の前面側にＥＬライトを貼付し，その上を透光性のフィルムで覆うように配設するほか，図７（ｂ）に示したように，扉の背面側を光の透過が分かる程度にＥＬライトに合わせて薄肉加工し，該薄肉加工部に背面側からＥＬライトを貼付配設して照明手段を扉１０２に設けている。
【００２０】
これにより図７（ａ）の配設によれば面状に分電盤周囲を直接的に照らすことが可能である。また，図７（ｂ）の配設によれば面状に分電盤周囲を（ａ）に比べて和らいだ光で照らすことが可能である。このため，スポット的に光を照射する場合と比べて，面状に広い範囲を照らすため，分電盤周辺全体が明るく逆光とならずに眩さを低減できる分電盤を提供できる。
【００２１】
次に，電源手段１０５から照明手段２００への電源供給について説明を行う。電源手段１０５は図４に示したように，分岐開閉器１０４２と略同一形状で形成され，分岐開閉器１０４２と差し替え装着可能なように設けられる。該電源手段１０５は分岐開閉器１０４２と併設して使用する。図５には電源手段１０５を取外した図を示しているが，電源手段１０５には，内器ユニット１０４に設けられた分岐開閉器１０４２に電力を供給する導電バーに接続可能な電源端子部１０５１と，その他端には，照明手段２００への電源供給を行う電源出力端子部１０５３とが設けられている。分岐回路を１回路使用することになるが，分岐開閉器と差し替えて設置することができるため，照明手段への電源供給及び蓄電する機能を内器ユニットはそのままに，容易に分電盤内に設けることができる。
【００２２】
図６には電源手段１０５の内部構造の概略図を示している。電源手段１０５の内部には，制御回路部１０５４と，蓄電部１０５２が設けられている。制御回路部１０５４は，交流−直流変換処理を行うＡＣ／ＤＣコンバータや，電圧を昇圧処理する昇圧コンバータ，電路の停電を検出する停電検出手段，ライトを点灯消灯させるスイッチなどが設けられている。尚，スイッチはその操作部が電源手段の表面に設けられており，分岐開閉器１０４２のハンドル操作部と同様に，外部から操作可能となっている。また，前記スイッチは，分岐開閉器１０４２のハンドル操作部とは形状を違えて構成されている。
【００２３】
蓄電部１０５２は電力を蓄電しておくためのもので，２次電池を用いて構成されている。２次電池にはリチウムイオン電池を用いているが，その他リチウムポリマー電池や，ＮｉＣｄ電池など充電可能な電池や，電気２重槽キャパシタ等を用いて構成してもよい。
【００２４】
導電バーから入力された電力は，電源接続部１０５１を経て制御回路部１０５４に入力され，交流−直流変換された後，蓄電部１０５２に入力され蓄電される。停電検出手段が停電を検出した場合や，スイッチが点灯操作された場合には，蓄電部１０５２から昇圧コンバータを経て，電源出力端子部１０５３からＥＬライトに向けて給電され，ＥＬライトが点灯する。
【００２５】
停電検出手段は，電源接続部１０５１の電源極側−中性極側間の電圧を監視しており，該電圧が低下した場合に停電が発生したと判断する。なお，停電検出においては，本電圧検出の他，電路に流れる電流を検出する変流器を電路に設けて該変流器からの出力により検出するように構成しても良い。
尚，スイッチを設けていることにより，停電時のみならず照明手段を点灯させたい場合には手動で点灯が行え，所望の場合には一時的な照明として用いることができる。
【００２６】
電源出力端子部１０５３にはリード線が接続され（図示しない），ボックス１００内に敷設されたリード線は，カバー１０１に設けられた枢着部１０３付近に設けられた小孔を通って扉１０２に配設された照明手段２００と接続されている。
【００２７】
このように照明手段２００を設けた分電盤を構成したため，従来例のように，夜間の停電など真暗な状態において保安灯からスポット的に光が照射されることによる，分電盤を臨む際に眩く，逆光効果となることがない。また，面状に広範囲に周囲を照らすため，停電時などにおいて分電盤が設置してある場所が分かりやすくなるとともに，足元付近も照らすために足元にあるものにより躓くといったことから回避できるという効果がある。また，ブレーカの復帰作業を行う際には扉１０２を開けた状態で作業を行うため，必然的に照明手段２００は天井方向を照らすため，視界への直接的な照射が避けられ，眩くなくブレーカの復帰作業が行える。また，既存の分岐開閉器と差し替えて電源手段を配設できるため，既存の内器ユニットを流用して使用できるとともに，製作コストを低減でき，容易に電源手段を分電盤に配設できる分電盤を提供できる。
【００２８】
なお，照明手段はＥＬライトの他，固体素子照明である高輝度発光ダイオードを用いて構成しても良い。この場合，導電性の高分子材料であるプラスチックの薄いシートから生産できる有機ＬＥＤ（ＯＬＥＤ）や，ナノメーター寸法ドットの光放射材料をカプセルに入れてＬＥＤデバイスを形成する量子ドットを用いて固体素子照明用のＬＥＤを形成することにより，厚みの薄いシート状の照明手段を得ることができる。これらのＯＬＥＤや量子ドットを用いたＬＥＤにより，より照度を増した照明手段を構成することが可能である。この場合には，蓄電部の出力電圧を照明手段の動作電圧に合わせるようＤＣ／ＤＣコンバータを用いればよく，昇圧コンバータは不要に構成できる。もしくは蓄電部からの出力電圧を照明手段に合わせて蓄電部を構成すればＤＣ／ＤＣコンバータも不要とできる。
【００２９】
次に，第二の実施例について説明を行う。第二の実施例は扉なしの分電盤における実施例である。
図８は本件発明の分電盤の第二の実施例を示した概観図を示している。本実施形態の分電盤は，第一の実施例と同じく，住宅の壁面等に配設する住宅用分電盤として使用されるもので，壁面に取り付けられるボックス１１０と，該ボックス１１０に取り付けられるカバー１１１とで構成され，図９に示したように，ボックス１１０内には，内器ユニット１１４が配設され，ボックス１１０に導入される電線が内器ユニット１１４に電気的に接続される。内器ユニット１１４は前述した内器ユニット１０４と同様であるので構成説明については省略する。
【００３０】
内器ユニット１１４が配設されるボックス１１０は，カバー１１１と嵌め合わせにより取り付けられる。そのため，ボックス１１０にはボックスの箱体から突出した嵌合部１１４ｂが形成され，また，カバー１１１には前記嵌合部１１４ｂと嵌め合い可能な嵌合部１１４ａが形成されている。
【００３１】
また，カバー１１１には，主開閉器１１４１と複数の分岐ブレーカ１１４２の操作ハンドルをカバー前面から操作できるよう，操作ハンドルを逃げるように孔１１１１が設けられている。
【００３２】
カバー１１１には，照明手段２１０が設けられている。照明手段２１０は，第一の実施例と同じく，その発光部分がＥＬライトにより構成されている。照明手段２１０は，カバー１１１の周縁部に配設されてあり，図１０に示したカバーのＢＢ断面のようにカバー断面形状に沿うように配設されている。
【００３３】
カバー１１１への配設は図１０（ａ）に示したように，カバー１１１の前面にＥＬライトを貼付しその上を透光性のフィルム２１１で覆うように配設したり，図１０（ｂ）に示したように，カバーの背面側を光の透過が分かる程度に薄肉加工部２１２を設け，該薄肉加工部２１２に背面側からＥＬライトを貼付配設して照明手段をカバー１１１に設けている。これにより図１０（ａ）の配設によれば面状に分電盤周囲を直接的に照らすことが可能である。また，図１０（ｂ）の配設によれば面状に分電盤周囲を（ａ）に比べて和らいだ光で照らすことが可能である。このため，スポット的に光を照射する場合と比べて，面状に広い範囲を照らすため，分電盤周辺全体が明るく逆光とならずに眩さを低減できる分電盤を提供できる。
【００３４】
次に，電源手段１１５から照明手段２１０への電源供給について説明を行う。電源手段１１５の構成は第一の実施例で示した電源手段１０５と同様であるので説明を省略する。電源手段１１５の電源出力端子部にはリード線が接続され（図示しない），ボックス１１０内に敷設されたリード線は，照明手段２１０が図１０（ａ）のように配設されている場合には，カバー１１１の，分電盤前面に臨んで電源手段１１５が位置する付近に開けられた小孔を通って照明手段２１０と接続され，また，図１０（ｂ）のように配設されている場合には，小孔は設けずに，カバー１１１の，分電盤前面に臨んで電源手段１１５が位置する付近にて照明手段２１０と接続されている。
【００３５】
このように照明手段２１０を設けた分電盤を構成したため，第一の実施例と同じく，従来例のように，真暗な状態において保安灯からスポット的に光が照射されることによる，分電盤を臨む際に眩く，逆光効果となることがない。また，面状に広範囲に周囲を照らすため，停電時などにおいて分電盤が設置してある場所が分かりやすくなるとともに，足元付近も照らすために足元にあるものにより躓くといったことから回避できるという効果がある。また，照明手段２１０により，面状に広範囲に周囲を照らすため周囲全体が明るいため，ブレーカの復帰作業を行う際など，眩くなくブレーカの復帰作業が行えるという効果がある。
【００３６】
次に第三の実施例について説明を行う。第三の実施例は第一の実施例に示した扉付きの分電盤における変形実施例である。第一の実施例と比べて，電源手段１０５から照明手段２００への電源供給の経路が異なるため，その部分について説明を行う。
尚，図１１に示したように，電源手段１０５については，内器ユニット１０４に設けられた複数の分岐開閉器１０４２の２列の併設部のうち，第一の実施例においては負荷側の併設部に設けてあったが，第三の実施例においては，照明手段２００への電源供給経路を短くするために，電源側の併設部に設けている。
【００３７】
図１２は，嵌合部１０４ｂ付近を拡大した図である。電源手段１０５の電源出力端子部１０５３には，折り曲げ加工された導通部１０４２ｂが接続されており，該導通部１０４２ｂには，嵌合部１０４ｂの形状に沿って折り曲げ配設された導通部１０４１ｂが接続されている。カバー１０１の嵌合部１０４ａには前記導通部１０４１ｂと，嵌合時に接触対応して電気的に接続される導通部１０４１ａが設けられている。該導通部１０４１ａはカバー内壁面に沿うよう折り曲げ加工されて配設されている。
【００３８】
また，図１４に示した枢着部１０３に設けられた軸１０３ｄと弾性保持部１０３ｃは導電体で構成され，互いに導通を持たせてあり，前記導通部１０４１ａはリード線により軸１０３ｄに接続され，弾性保持部１０３ｃには照明手段２００から延出したリード線が接続されている。このように，電源手段１０５から照明手段２００への電力供給は，電源手段１０５の電源出力端子部１０５３に接続された導通部１０４２ｂからボックス側の嵌合部１０４ｂの導通部１０４１ｂを経て，カバー側の嵌合部１０４ａの導通部１０４１ａ，リード線，軸１０３ｄ，弾性保持部１０３ｃを通り，照明手段２００に至るよう行われる。尚，図７に示したように，照明手段２００の配置が扉の前面側の場合には，枢着部１０３付近に照明手段２００に電源を供給するリード線を貫通させる小孔が設けられる。
【００３９】
このように，嵌合部及び枢着部に導通部を設けて照明手段２００への電源供給を行うように分電盤を構成したため，第一の実施例に示したようなリード線を用いて電源手段１０５と照明手段２００とを接続する場合と比べると，容易にボックスとカバーの分離を行えるために，分電盤施工時や，メンテナンス時における作業性がより向上できるという効果を有して分電盤を提供できる。
【００４０】
次に第四の実施例について説明を行う。第四の実施例は第二の実施例に示した扉なしの分電盤における変形実施例である。第二の実施例と比べて，電源手段１１５から照明手段２１０への電源供給の経路が異なるため，その部分について説明を行う。また，第三の実施例と同様，電源手段１１５については，内器ユニット１１４に備えられる複数の分岐開閉器１１４２の２列の併設部のうち，第二の実施例においては負荷側の併設部に設けてあったが，第四の実施例においては，第三の実施例に倣い，電源側の併設部に設けた構成で説明を行う。
【００４１】
図１３は，嵌合部１１４ｂ付近を拡大した図である。電源手段１１５の電源出力端子部１１５３には，折り曲げ加工された導通部１１４２ｂが接続されており，該導通部１１４２ｂには，嵌合部１１４ｂの形状に沿って折り曲げ配設された導通部１１４１ｂが接続されている。カバー１１１の嵌合部１１４ａには前記導通部１１４１ｂと，嵌合時に接触対応して電気的に接続される導通部１１４１ａが設けられている。該導通部１１４１ａはカバー背面側に沿うよう折り曲げ加工されて配設され，照明手段２１０に電源を供給するリード線と接続されている。
尚，図１０に示したように，照明手段の配置がカバーの前面側の場合には，嵌合部１０３付近に照明手段２００に電源を供給するリード線を貫通させる小孔が設けられる。
【００４２】
このように照明手段２１０への電源供給は，電源手段１１５の電源出力端子部１１５３から導通部１１４２ｂ，導通部１１４１ｂ，導通部１０４１ａを経て行われる。このように，導通部を嵌合部に設けて照明手段２１０への電源供給を行うように分電盤を構成したため，第二の実施例に示したようなリード線を用いて電源手段１１５と照明手段２１０とを接続する場合と比べると，容易にボックスとカバーの分離を行えるために，分電盤施工時や，メンテナンス時における作業性がより向上できるという効果を有して分電盤を提供できる。
【００４３】
尚，その他，分電盤の前面に臨んで左右に２箇所設けてある枢着部をそれぞれ金属蝶番Ａ，金属蝶番Ｂで構成し，蝶番Ａと蝶番Ｂが電気的に導通を持つよう構成しておき，扉付きの場合には導通部１０４１ａの各々の極において，片方の極を金属蝶番Ａに，他方の極を金属蝶番Ｂに片方づつ接続し，照明手段から延出する電源リード線を片方づつ金属蝶番Ａ，金属蝶番Ｂに接続し，導通部１０４１ａと照明手段とを電気的に接続する構造としてもよい。
【産業上の利用可能性】
【００４４】
本発明は，分電盤の扉もしくはカバーに照明手段を設けて構成しているため，照明の色を種々設けてインテリア照明として用いることが可能である。また，例えば電源手段を扉側もしくはカバー側に設け，扉もしくはカバー単体で照明手段となり得るよう構成して，分電盤施工時における明り取りとして，扉もしくはカバーを取外して一時的な照明として使用するといった用途に利用可能である。尚，例えば電源として小型にパッケージされたセル電源や，ナノゲートキャパシタ等を利用して，ラミネートフィルム等に封止して薄型とした電源を用いることで，より軽量な照明手段とを有した，作業時の持ち運びが行い易い扉やカバーを提供できる。
【符号の説明】
【００４５】
１      分電盤
１００  ボックス
１０１  カバー
１０２  扉
１０３  枢着部
１０４  内器ユニット
１０４ａ  嵌合部
１０４ｂ  嵌合部
１０４１  主開閉器
１０４２  分岐開閉器
１０４１ａ  導通部
１０４１ｂ  導通部
１０５  電源手段
１０５１  電源接続部
１０５２  蓄電部
１０５３  電源出力接続部
１０５４  制御回路部
２００  照明手段
２０１  透光性フィルム
２０２  薄肉加工部
１１０  ボックス
１１１  カバー
１１４  内器ユニット
１１４ａ  嵌合部
１１４ｂ  嵌合部
１１４１  主開閉器
１１４１ａ  導通部
１１４１ｂ  導通部
１１４２  分岐開閉器
１１５  電源手段
１１５１  電源接続部
１１５２  蓄電部
１１５３  電源出力接続部
１１５４  制御回路部
２１０  照明手段
２１１  透光性フィルム
２１２  薄肉加工部
【図１】
0005673739.tif 000002
【図２】
0005673739.tif 000003
【図３】
0005673739.tif 000004
【図４】
0005673739.tif 000005
【図５】
0005673739.tif 000006
【図６】
0005673739.tif 000007
【図７】
0005673739.tif 000008
【図８】
0005673739.tif 000009
【図９】
0005673739.tif 000010
【図１０】
0005673739.tif 000011
【図１１】
0005673739.tif 000012
【図１２】
0005673739.tif 000013
【図１３】
0005673739.tif 000014
【図１４】
0005673739.tif 000015
【図１５】
0005673739.tif 000016